(57)【特許請求の範囲】
【請求項１】
天井に設置される天井ガイドレールと、床に設置される床ガイド溝と、を有する環状のガイドと、
室内を画定するために前記ガイドの全周に渡って連続して配置されて、前記ガイドに沿って移動するシャッターと、を備え、
前記シャッターは、シャッター本体と、出入口を画定する開口本体と、を有することを特徴とする回動式横引きシャッター装置。
【請求項２】
前記ガイドの一部分は、壁に近接した状態で対向して設けられ、
前記シャッターが第１位置で静止するとき、前記出入口を経由して前記室内に往来できるとともに、
前記シャッターが第２位置で静止するとき、前記開口本体は前記壁に接することを特徴とする請求項１に記載の回動式横引きシャッター装置。
【請求項３】
前記シャッターは、前記天井ガイドレールに沿って転動する天井ローラーと、前記床ガイド溝に沿って転動する床ローラーと、を有し、
前記シャッターの下端に磁性体が着装され、前記床ガイド溝に、前記磁性体を吸引するための電磁石が着装されることを特徴とする請求項２に記載の回動式横引きシャッター装置。
【請求項４】
前記シャッターが前記第１位置、または前記第２位置に位置するとき、前記電磁石は動作して前記磁性体を吸引することを特徴とする請求項３に記載の回動式横引きシャッター装置。
【請求項５】
前記室内は、サニタリールームであることを特徴とする請求項２〜４いずれか１項に記載の回動式横引きシャッター装置。
【発明の詳細な説明】
【技術分野】
【０００１】
本発明は、出入口の位置を任意に設定できる回動式横引きシャッター装置に関する。
【背景技術】
【０００２】
横引きシャッターは、狭い空間と位置を有効に利用したシャッター機構であることから、店舗等に幅広く用いられている。しかし、横引きシャッターは、シャッターを収容するための収納装置が必要であり、敷地面積が小さい場所では、収容装置の敷地面積に占める割合が大きくなり、敷地の有効利用を図れない場合があった。
【０００３】
特許文献１には、横引きシャッターのガイドレールの収容専用スペースをできるだけ縮小した収容装置が提案されている。従来のシャッターの渦巻き状のガイドレールの巻き取り収容手段を改良して、ガイドレール環状部に直線上のガイドレールを密接状に重層連接し空きスペースの拡大を図ったものである。
【先行技術文献】
【特許文献】
【０００４】
【特許文献１】特開平０９−７２１７０号公報
【発明の概要】
【発明が解決しようとする課題】
【０００５】
しかし、特許文献１で提案されている横引きシャッターは、収容装置が縮小されたとはいえ、依然として収容スペースは必須であり、有効に使用できるスペースは、収容装置によって減じられることとなる。また、一端部から他端部に架け渡して、横引きシャッターを閉鎖したとき、内部は閉鎖されるか、所定の位置に設けた出入口からのみ往来できる構造となり、使用条件は限られていた。
【０００６】
本発明は、これらの問題点に着目してなされたものであり、収容装置が不要で、しかも出入口を任意に設定できる回動式横引きシャッター装置を提供するものである。
【課題を解決するための手段】
【０００７】
上記課題を解決するための発明は、回動式横引きシャッター装置であって、天井に設置される天井ガイドレールと、床に設置される床ガイド溝を有する環状のガイドと、室内を画定するためにガイドの全周に渡って連続して配置されて、ガイドに沿って移動するシャッターを備え、シャッターは、シャッター本体と、出入口を画定する開口本体を有することを特徴とする。
【０００８】
この構成によれば、出入口が画定されたシャッターが、環状のガイドの全周に渡って連続して配置されているので、シャッターを収容するための収容装置を要しない。また、シャッターをガイドに沿って移動することで、出入口の位置を自由に設定できる。
【０００９】
好ましくは、ガイドの一部分は、壁に近接した状態で対向して設けられ、シャッターが第１位置で静止するとき、出入口を経由して室内に往来できるとともに、シャッターが第２位置で静止するとき、開口本体は壁に接することを特徴とする。
【００１０】
この構成によれば、シャッターが第２位置で静止するとき、室内は、壁、およびシャッター本体で囲まれるので、室内を外部領域から閉鎖できる。これにより、閉鎖された空間を必要とする空間を容易に創出できる。また、シャッターを第１位置で静止させることで、出入口を経由して室内に往来できるので、往来するための扉等の設備は不要となる。
【００１１】
好ましくは、シャッターは、天井ガイドレールに沿って転動する天井ローラーと、床ガイド溝に沿って転動する床ローラーを有し、シャッターの下端に磁性体が着装され、床ガイド溝に、磁性体を吸引するための電磁石が着装されることを特徴とする。
【００１２】
この構成によれば、シャッターの下端は、磁性体が着装され、床ガイド溝は、磁性体を吸引するための電磁石が着装されるので、電磁石を動作したとき、電磁石が磁性体を吸引することでシャッターの移動を拘束できる。
【００１３】
好ましくは、シャッターが第１位置、または第２位置に位置するとき、電磁石は動作して磁性体を吸引することを特徴とする。
【００１４】
この構成によれば、シャッターが第１位置、または第２位置に位置するとき、電磁石は動作して磁性体を吸引するので、シャッターが静止したときの出入口の移動を抑制できる。
【００１５】
好ましくは、室内は、サニタリールームであることを特徴とする。
【００１６】
この構成によれば、室内は、水を多く使用すると考えられるサニタリールームである。シャッターが第２位置で静止するとき出入口は閉鎖されることで、外部への水の飛散を防止できるとともに、シャッターを第１位置で静止させることで、出入口から容易に往来できる。
【図面の簡単な説明】
【００１７】
【図１】回動式横引きシャッター装置の部分正面断面図である。
【図２】同、部分側面断面図である。
【図３】（ａ）は、回動式横引きシャッター装置が第１位置で静止しているときの平面断面図である。（ｂ）は、回動式横引きシャッター装置が第２位置で静止しているときの平面断面図である。
【図４】ベルトと回動輪の配置を説明する平面配置図である。
【図５】シャッタースラットが連接された状態の断面模式図である。
【発明を実施するための形態】
【００１８】
以下、図面を参照して本発明の実施形態を詳述する。
【００１９】
図１〜３に示す通り、回動式横引きシャッター装置１は、シャッター２が、天井ガイドレール２０、および床ガイド溝３０に沿って移動する構造である。天井ガイドレール２０は、サニタリールーム１００を囲むように天井１２０に設けられた環状のレールであり、床ガイド溝３０は、サニタリールーム１００を囲むように床１２１、床１２２の境界に設けられた環状の溝である。また、天井ガイドレール２０と、床ガイド溝３０は、平面視で、重なる位置に設けられている。
【００２０】
本実施形態において、「天井」とは、上端側でシャッター２を支える建物側の部位を意味し、「床」とは、下端側でシャッター２を支持する建物側の部位を意味するものである。
【００２１】
サニタリールーム１００は仕切板１３１で仕切られており、仕切板１３１で仕切られた一方の室内空間１００ａにはシャワー１３２が、他方の室内空間１００ｂには洋式トイレ１３３が配設されている。本実施形態におけるサニタリールーム１００とは、洗面所、浴室、トイレスペース等のいわゆる衛生空間を表す。
【００２２】
シャッター２は、シャッター本体１０と開口本体５０を有しており、天井ガイドレール２０および床ガイド溝３０に沿って、環状に連続して設けられている。
【００２３】
シャッター本体１０は、連結された複数の短冊状のシャッタースラット１１から構成され、複数のシャッタースラット１１は相互に回動できる状態で連接されている（図５参照）。シャッタースラット１１の回動構造については、横引きシャッターの一般的構成であることから説明は省略する。シャッター本体１０の端部同士は、開口本体５０を介して接続されている。
【００２４】
シャッタースラット１１は、天井ローラー７０を軸支するための軸支部材１２、および床ローラー７１を軸支するための軸支部材１３を有している。本実施形態ではすべてのシャッタースラット１１に軸支部材１２、１３を設けているが、複数のシャッタースラット１１のうちの幾つかのシャッタースラット１１に、所定の間隔ごとに設けてもよい。
【００２５】
開口本体５０は、複数の開口スラット５５を有している。開口スラット５５は、シャッタースラット１１の高さを低くした構造である。開口スラット５５の回動構造については、シャッタースラット１１とほぼ同じであることから説明は省略する。
【００２６】
開口スラット５５は、天井ローラー７０を軸支するための軸支部材５６を有している。本実施形態ではすべての開口スラット５５に軸支部材５６を設けているが、複数の開口スラット５５のうちの幾つかの開口スラット５５に、所定の間隔ごとに設けてもよい。
【００２７】
図２に示す通り、天井ガイドレール２０は、一端部が天井１２０に固定され、他端部は天井１２０に向かって突設する突起部２０ａを有する略Ｌ字形の部材であり、平面視でサニタリールーム１００を取り囲むように環状に設けられている。突起部２０ａは、天井ローラー７０の逸脱を防止して転動する方向を誘導するためのものである。具体的には、天井ローラー７０に設けられた凹部７０ａが、突起部２０ａに緩くはめ込まれた状態となっている。これにより、天井ローラー７０は、軸支部材１２、５６が軸支する軸（第１回動軸）廻りに回動することで天井ガイドレール２０に沿って転動する。
【００２８】
床ガイド溝３０は、サニタリールーム１００の内部側に位置する床１２２と、外部側に位置する床１２１の境界に環状に設けられている箱形状の部材である。床１２２の高さは、床１２１よりも低く設定されている。床１２１とシャッタースラット１１との間に生じる隙間はできる限り小さくすることが好ましい。サニタリールーム１００で使用した水が外部側に飛散しないようにするためである。床ガイド溝３０の上端部に、スリット３１が設けられている。スリット３１は、軸支部材１３が貫通するため隙間であり、床ガイド溝３０に沿って環状に延びている。
【００２９】
床ローラー７１は、軸支部材１３に軸支された状態で、床ガイド溝３０の両側面となる側壁３０ａ、３０ｂに接している。これにより、床ローラー７１は、軸支部材１３が軸支する軸（第２回動軸）の軸廻りに回動することで床ガイド溝３０に沿って転動する。
【００３０】
第１回動軸と、第２回動軸は直交している。具体的には図２において、天井ローラー７０の回動軸である第１回動軸は、天井１２０に水平であるのに対し、床ローラー７１の回動軸である第２回動軸は、垂直である。これにより、少なくとも、シャッター本体１０の進行方向に直交する方向の移動は拘束される。
【００３１】
軸支部材１２、５６については、隣接する軸支部材１２、５６との距離は一定に設定されている。また、ベルト４５を介して相互に接続されるとともに、シャッタースラット１１、および開口スラット５５を介して相互に接続される。軸支部材１３は、軸支部材１２の直下に設けられ、シャッタースラット１１を介して相互に接続される。
【００３２】
ベルト４５は、円盤形状の回動輪４１、４２、４３、４４に噛合した状態で、サニタリールーム１００を取り囲むように環状に設けられている。また、回動輪４１を回動させるための駆動源（図示略）が天井１２０に固定されている。
【００３３】
駆動源を動作することで、回動輪４１が回動し、回動輪４１の回動に伴って、ベルト４５が回動輪４２、４３、４４と噛合しながら天井ガイドレール２０が延びる方向に沿って移動する。これにより、シャッター本体１０は天井ガイドレール２０、および床ガイド溝３０に沿って移動する。すなわち、回動輪４１が、シャッター２の移動を主導する主動輪となり、回動輪４２、４３、４４がシャッター２の移動方向を変更して誘導する誘導輪となっている。シャッター２の移動方向を円滑に変更するために、回動輪４１、４２、４３、４４の直径は可能な限り大きくすることが好ましい。
【００３４】
本実施形態では、駆動源は回動輪４１を主動輪としているが、他の回動輪４２、４３、４４のいずれを主動輪としてもよい。また、駆動源を設けず手動で回動させてもよい。
【００３５】
図３（ａ）に示す通り、シャッター２が第１位置で静止するとき、出入口１５０を経由してシャワー１３２が配置されている室内空間１００ａ、および洋式トイレ１３３が配置されている室内空間１００ｂの双方にアクセスできる状態となっている。また、図３（ｂ）に示す通り、シャッター２が第２位置で静止するとき、サニタリールーム１００の側面は、壁１２３，シャッター本体１０で囲まれている。具体的には、シャッター本体１０の端部に設けられたパッキン６５と、壁１２３に設けられたパッキン１６５が圧縮された状態で接触することで、壁１２３とシャッター本体１０の間に生じたであろう隙間が閉鎖されている。パッキン６５，１６５の素材は弾力性がある発泡ゴム製であることが好ましい。
【００３６】
本実施形態では、第１位置は、出入口１５０から室内空間１００ａ、１００ｂの双方に往来できるシャッター２の位置としているが、室内空間１００ａ、１００ｂのいずれか一方に往来できる位置であってもよい。具体的には、出入口１５０が壁１２３に直接対向しない位置であればよい。
【００３７】
床ガイド溝３０の底面３２に沿って電磁石６１が環状に着装されている。シャッター２が第１位置または第２位置で静止する状態では、床ローラー７１の床ガイド溝３０に沿った方向の若干の移動は許容されている。すなわち、出入口１５０は、多少揺れ動く状態となっている。シャッター２が第１位置または第２位置で静止するときに、電磁石６１を動作すると、電磁石６１は磁性体６０を吸引する。この吸引力により、床ローラー７１の床ガイド溝３０に沿った方向の移動は制限される。
【００３８】
シャッタースラット１１の下端部を伸縮できる構造として、電磁石６１が磁性体６０を吸引したとき、電磁石６１と磁性体６０が接触するとともに、シャッタースラット１１の下端が床ガイド溝３０に接触するようにしてもよい。これにより、シャッタースラット１１は、床ガイド溝３０と隙間を開けた状態で円滑に移動でき、静止したときは、シャッタースラット１１と床ガイド溝３０の間に生じていた隙間を封止できる。その結果、サニタリールーム１００で使用した水の飛散をより一層抑制できる。
【００３９】
本実施形態は例示であり、本発明の技術的思想を逸脱しない範囲で改変できることは勿論である。例えば、回動輪は４個設けられているが。２個、３個であってもよく、５個以上であってもよい。また、室内はサニタリールームとしていたが、これに限らず出入口が任意に設定できることで利便性の向上が図れる空間、例えばペットルームとしてもよい。さらに、閉鎖された空間が必須となる暗室としてもよい。
【産業上の利用可能性】
【００４０】
本発明の回動式横引きシャッター装置は、出入口の位置を任意に設定できるので、足の不自由な方々、例えば車椅子での移動を余儀なくされる方々の移動の負担を軽減できることから、産業上の利用可能性は大である。
【符号の説明】
【００４１】
１：回動式横引きシャッター装置
２：シャッター
１０：シャッター本体
２０：天井ガイドレール
３０：床ガイド溝
５０：開口本体
６０：磁性体
６１：電磁石
７０：天井ローラー
７１：床ローラー
１００：サニタリールーム
１２０：天井
１２１，１２２：床
１２３：壁
１５０：出入口
【要約】      （修正有）【課題】収容装置が不要で、しかも出入口を任意に設定できる回動式横引きシャッター装置を提供する。【解決手段】回動式横引きシャッター装置１は、シャッター２が、天井ガイドレール２０、および床ガイド溝３０に沿って移動する構造である。シャッター２は、シャッター本体１０と出入口１５０を画定するための開口本体５０を有している。シャッター本体１０は、連結された複数の短冊状のシャッタースラット１１から構成され、複数のシャッタースラット１１は相互に回動できる状態で連接されている。シャッタースラット１１の下端には磁性体６０が着装され、また床ガイド溝３０には電磁石６１が着装されている。シャッター２が第１位置または第２位置で静止するときに、電磁石６１を動作すると、電磁石６１は磁性体６０を吸引する。この吸引力により、シャッター本体１０の移動は制限される。【選択図】図１【図１】
0006892183.tif 000002
【図２】
0006892183.tif 000003
【図３】
0006892183.tif 000004
【図４】
0006892183.tif 000005
【図５】
0006892183.tif 000006